(57)【要約】【課題】被固定体に固定する作業性を、より向上できる取付固定器具を提供すること。【解決手段】被固定体１０に設けられた取付穴１１を覆うように被固定体１０の表面１０ａ側に当接して固定される固定本体２０と、固定本体２０の中心と偏心した位置に配されると共に取付穴１１を貫通できる大きさに設けられ、一部が被固定体１０の裏面１０ｂ側に当接して固定されるフック３０と、フック３０と固定本体２０とが、螺子の締付力によって被固定体１０を挟み込むことでその被固定体１０に固定されるように、フック３０と固定本体２０とに連係されている雄螺子部材４０と、固定本体２０の裏面２０ｂから雄螺子部材４０と平行に延設されていると共に、フック３０に設けられた案内孔３２に挿通されてフック３０の雄螺子部材４０による締付方向への移動を案内する案内ピン５０とを具備する。【選択図】図１
2013145013.tif 000002
【特許請求の範囲】
【請求項１】
被固定体に設けられた取付穴を覆うように該被固定体の表面側に当接して固定される固定本体と、
該固定本体の中心と偏心した位置に配されると共に前記取付穴を貫通できる大きさに設けられ、一部が前記被固定体の裏面側に当接して固定されるフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンとを具備することを特徴とする取付固定器具。
【請求項２】
前記雄螺子部材が、前記フックに螺合すると共に前記固定本体に係合していることを特徴とする請求項１記載の取付固定器具。
【請求項３】
前記固定本体の表面側に前記取付穴より大径に形成されて固定される表側固定部が設けられ、前記固定本体の裏面側に前記取付穴の内側に嵌まる嵌合段部が設けられていることを特徴とする請求項１又は２記載の取付固定器具。
【請求項４】
前記固定本体が配管口や配線口を固定するためのベース部として設けられ、前記フックには配管や配線が挿通される挿通孔が設けられていることを特徴とする請求項１〜３のいずれかに記載の取付固定器具。
【請求項５】
請求項１〜４のいずれかに記載の取付固定器具を用いて該取付固定器具を被固定体に固定する取付固定方法であって、
前記フックを、前記被固定体の取付穴と中心同士が同心となるようにして該取付穴に貫通させ、
前記固定本体と前記取付穴との中心同士が同心となるように、前記取付固定器具をスライドさせて前記固定本体を前記被固定体に配すると共に前記フックの一部が前記被固定体と重なるように配し、
前記雄螺子部材による締付によって前記固定本体と前記フックとで前記被固定体を挟み込むことで固定することを特徴とする取付固定方法。
【発明の詳細な説明】
【技術分野】
【０００１】
本発明は、被固定体の取付穴が設けられた部分に固定される取付固定器具及び取付固定方法に関する。
【背景技術】
【０００２】
従来、二ツ折れ自在の壁内プレートにワイヤを取着け、該壁内プレートと、ガス栓を具えた壁外プレートとを締付ねじによって連結し、該締付ねじを締付けることによって、前記ガス栓を壁体に固定するようにしたガス栓取着装置（特許文献１参照）が提案されている。
【０００３】
また、アダプタ装置に単一の且つ水栓取付穴の周方向に円弧形状をなす周長の長いホルダーを１つだけ設け、そのホルダーを周方向両端部近傍において２本の雄ねじ部材にてアダプタ本体とねじ締結するようになす物品の取付構造（特許文献２参照）が提案されている。これによれば、アダプタ装置を用いて水栓をカウンターに取り付けるに際し、カウンターを上下から挟み込むアダプタ本体とホルダーとがそれらをねじ締結する雄ねじ部材周りに相対変位することによって水栓が回転方向にがたつきを生じるのを防止することができる。
【先行技術文献】
【特許文献】
【０００４】
【特許文献１】実公平０２−４０３５９号公報（第１図）
【特許文献２】特開平１０−３１８３９８号公報（第１頁）
【発明の概要】
【発明が解決しようとする課題】
【０００５】
取付固定器具及び取付固定方法に関して解決しようとする課題は、従来の形態においては、構成が複雑になり易いと共に、取付固定の作業性をさらに向上させることが難しいことにある。
そこで、本発明の目的は、簡易な構成で、取付穴が設けられた被固定体に固定する作業性を向上できる取付固定器具及び取付固定方法を提供することにある。
【課題を解決するための手段】
【０００６】
本発明は上記目的を達成するために次の構成を備える。
本発明にかかる取付固定器具の一形態によれば、被固定体に設けられた取付穴を覆うように該被固定体の表面側に当接して固定される固定本体と、該固定本体の中心と偏心した位置に配されると共に前記取付穴を貫通できる大きさに設けられ、一部が前記被固定体の裏面側に当接して固定されるフックと、該フックと前記固定本体とが、螺子の締付力によって前記被固定体を挟み込むことで該被固定体に固定されるように、該フックと前記固定本体とに連係されている雄螺子部材と、前記固定本体の裏面から前記雄螺子部材と平行に延設されていると共に、前記フックに設けられた案内孔に挿通されて該フックの前記雄螺子部材による締付方向への移動を案内する案内ピンとを具備する。
【０００７】
また、本発明にかかる取付固定器具の一形態によれば、前記雄螺子部材が、前記フックに螺合すると共に前記固定本体に係合していることを特徴とすることができる。
【０００８】
また、本発明にかかる取付固定器具の一形態によれば、前記固定本体の表面側に前記取付穴より大径に形成されて固定される表側固定部が設けられ、前記固定本体の裏面側に前記取付穴の内側に嵌まる嵌合段部が設けられていることを特徴とすることができる。
【０００９】
また、本発明にかかる取付固定器具の一形態によれば、前記固定本体が配管口や配線口を固定するためのベース部として設けられ、前記フックには配管や配線が挿通される挿通孔が設けられていることを特徴とすることができる。
【００１０】
また、本発明にかかる取付固定方法の一形態によれば、前記取付固定器具を用いて該取付固定器具を被固定体に固定する取付固定方法であって、前記フックを、前記被固定体の取付穴と中心同士が同心となるようにして該取付穴に貫通させ、前記固定本体と前記取付穴との中心同士が同心となるように、前記取付固定器具をスライドさせて前記固定本体を前記被固定体に配すると共に前記フックの一部が前記被固定体と重なるように配し、前記雄螺子部材による締付によって前記固定本体と前記フックとで前記被固定体を挟み込むことで固定することを特徴とすることができる。
【発明の効果】
【００１１】
本発明にかかる取付固定器具及び取付固定方法によれば、簡易な構成で、取付穴が設けられた被固定体に固定する作業性を、より向上できるという特別有利な効果を奏する。
【図面の簡単な説明】
【００１２】
【図１】本発明にかかる取付固定器具の形態例を示す斜視図である。
【図２】図１の形態例を他方向（裏面側）から見た斜視図である。
【図３】図１の形態例の使用状態（第１工程）を示す側断面図である。
【図４】図１の形態例の使用状態（第２工程）を示す側断面図である。
【図５】図１の形態例の使用状態（第３工程）を示す側断面図である。
【図６】図１の形態例の使用状態（第４工程）を示す側断面図である。
【図７】図１の形態例の使用状態（第５工程）を示す側断面図である。
【図８】図１の形態例の使用状態（第６工程）を示す側断面図である。
【図９】図１の形態例の使用状態（第７工程）を示す側断面図である。
【図１０】図１の形態例の使用例を示す斜視図である。
【図１１】図１０の形態例の固定状態を示す裏面図である。
【図１２】図１０の形態例の配管の挿入状態を示す裏面図である。
【発明を実施するための形態】
【００１３】
以下、本発明にかかる取付固定器具及び取付固定方法の形態例を添付図面（図１〜１０）と共に詳細に説明する。なお、図１〜９に示す形態例は、取付固定器具の原形を示すもので、配管や配線など、取付固定器具に装着されるべき構成については省略して記載してある。
【００１４】
２０は固定本体であり、被固定体１０に設けられた取付穴１１を覆うように、その被固定体１０の表面１０ａ側に当接して固定される部品になっている。本形態例では、固定本体２０外形が円形に設けられ、取付穴１１よりも大径なフランジ状の表側固定部２１（後述参照）が設けられている。
なお、被固定体１０とは、所要の厚みがあって平面的な広がりのある板状などの部材であり、流し台の天板、壁、床、天井などの構造物を構成する部材の形態であって、貫通した所要の大きさの取付穴１１を設けることが可能なものである。
【００１５】
３０はフックであり、固定本体２０の中心（軸芯Ｚａ）と偏心した位置（軸芯Ｚｂ）に配されると共に取付穴１１を貫通できる大きさに設けられ、一部３０ａが被固定体１０の裏面１０ｂ側に当接して固定される部品になっている。すなわち、フック３０の一部３０ａが締付力によって圧接された状態となることで固定されるように設定されている。
本形態例では、円形の取付穴１１の中心（軸芯Ｚｃ）に円形のフック３０の中心（軸芯Ｚｂ）を合わせた状態で、そのフック３０を傾けることなく取付穴１１について挿通できる嵌め合い関係になっている。なお、図３〜９に示すように、フック３０の外径寸法は、被固定体１０の裏面１０ｂ側に当接（圧接）されて固定される面積を大きくとるため、円形の取付穴１１の内径を適切に通過でき、且つその取付穴１１の内径寸法よりも小径の範囲ではあるが、できるだけ大径となるように設定するとよい。
【００１６】
４０は雄螺子部材であり、フック３０と固定本体２０とが、螺子の締付力によって被固定体１０を挟み込むことで、その被固定体１０に固定されるように、フック３０と固定本体２０とに連係されている。つまり、この雄螺子部材４０によれば、その螺子の締付力によって、被固定体１０に、固定本体２０及びフック３０を連結するように締結できる。
【００１７】
５０は案内ピンであり、固定本体２０の裏面２０ｂから雄螺子部材４０と平行に延設されていると共に、フック３０に設けられた案内孔３２に挿通されて、そのフック３０の雄螺子部材４０による締付方向への移動を案内する部材になっている。
これによれば、フック３０を取付穴１１に挿入して位置決めする簡単な作業工程と、雄螺子部材４０を回すだけの簡単な作業工程とで、フック３０が、案内ピン５０によって共回りをしない状態で好適に案内されて、前述のように被固定体１０へ締付けられる。
【００１８】
また、本形態例では、雄螺子部材４０が、フック３０に螺合すると共に固定本体２０に係合している。さらに、本形態例の雄螺子部材４０は、フック３０に設けられた雌螺子部３１に螺合し、固定本体２０に設けられた貫通孔２３に挿通されて係合されている。
これによれば、雄螺子部材４０の先端が、壁などの被固定体１０の裏面１０ｂ側（壁などの内側）へ突出する状態となることで締付けがなされる。従って、雄螺子部材４０が被固定体１０の表面１０ａ側へ突出する場合に比較して、被固定体１０の表面１０ａ側に装着される他の装着部材に対する取り合い関係が変化しないため、その装着部材を適切に装着できる。
【００１９】
また、本形態例の雄螺子部材４０は、両端部にボルトの頭が設けられた形態になっている。さらに具体的には、固定本体２０の表面２０ａ側に突起した雄螺子部材４０の一方の端部には、六角袋ナット４１が螺合されており、この六角袋ナット４１は、ボルトの頭として作用するように設けられている。また、フック３０の裏面側に突起した雄螺子部材４０の他方の端部には、ボルトの頭として作用するなべ小ねじの頭４２になっている。このように、雄螺子部材４０の両端部が実質的にボルトの頭になっている形態となっているため、固定本体２０及びフック３０は、雄螺子部材４０に連係して相互に離脱しない形態になっている。
【００２０】
さらに、本形態例では、雄螺子部材４０及び案内ピン５０が各一本ずつ設けられているが、本発明はこれに限定されるものではなく、雄螺子部材４０や案内ピン５０が複数本配された形態であってもよい。これによれば、フック３０の移動や締付け作業を、より確実に且つバランスよく安定的に行い得る。
【００２１】
また、本形態例では、固定本体２０の表面２０ａ側に取付穴１１より大径に形成されて固定される表側固定部２１が設けられ、固定本体２０の裏面２０ｂ側に取付穴１１の内側に嵌まる嵌合段部２２が設けられている。
これによれば、固定本体２０を取付穴１１に対して適切且つ容易に位置決めができる。また、段差をつけるだけの形態であり、容易に製作できる。なお、取付穴１１に対して位置決めを適切に行うための構造としては、本形態例に限定されず、例えば三個以上の突起が取付穴１１の内側に嵌まるように設けられることでも実現できる。
【００２２】
図１０に示す形態例では、固定本体２０が配管口や配線口を固定するためのベース部として設けられ、フック３０には配管や配線が挿通される挿通孔３３が設けられている。
これによれば、配管や配線を機能的且つ合理的にコンパクトに配することができる。さらに、フック３０の全体としての剛性を適切に保ちつつ、雌螺子部３１と、案内孔３２の位置関係を適切に設定することができる。
【００２３】
また、図１０に示す形態例は、バキュームブレーカ６０を装着するためのもので、固定本体２０が給水用の配管口を固定するためのベース部であり、フック３０には給水用の配管の挿入される挿通孔３３が設けられている。この給水用の配管口としては、図１０に示すようなバキュームブレーカ６０の空気流入口６３や、水栓の給水口がある。
なお、バキュームブレーカ６０は、配管の一方６１が給水管に接続され、配管の他方６２がディスポーザに接続され、給水管内が負圧になった場合に空気を導入し、負圧を破壊することで排水管内の汚水が給水管内に逆流しない機能を有する。
【００２４】
また、雄螺子部材４０は、フック３０の中心から被固定体１０の裏面１０ｂ側に当接されて固定される部分（一部３０ａ）の側へ偏心した位置に設けられた雌螺子部３１に螺合されている。被固定体１０の裏面１０ｂ側に当接されて固定される部分（一部３０ａ）と、雌螺子部３１とは近接しており、締付力が作用しやすい位置関係に設けられている。また、挿通孔３３を挟んで、雄螺子部材４０とは反対側に案内ピン５０が挿通される案内孔３２が配されている。
【００２５】
このように雌螺子部３１、挿通孔３３及び案内孔３２が設けられていることで、雌螺子部３１と案内孔３２の間隔をフック３０内においてより大きくとることができる。これによれば、フック３０を締付け方向へ移動させて固定させる際に、モーメントの力が好適に作用して、フック３０が傾くことを好適に防止して案内できる。従って、雄螺子部材４０によってフック３０を被固定体１０へ適切に締付けることができる。
【００２６】
また、本形態例のフック３０は、厚肉の円形板を原形として、剛性の高い金具になっている。なお、このフック３０には、挿通孔３３が設けられているが、厚肉の金具であり、剛性の高い部品になっている。また、本発明の案内ピン５０も、剛性が高い部品になっている。これによれば、フック３０を締付け方向へ適切に移動させて固定させることができる。
【００２７】
以上に説明した取付固定器具を用い、その取付固定器具を被固定体１０に固定する取付固定方法を以下に説明する。
先ず、フック３０を、図３に示す状態から、傾けることなく被固定体１０の取付穴１１と中心同士（Ｚｂ、Ｚｃ）が、図４に示すように同心となるようにして、その取付穴１１に図５から図６に示すように貫通させる。
【００２８】
次に、図７に示すように、固定本体２０と取付穴１１との中心同士（Ｚａ、Ｚｃ）が同心となるように、取付固定器具をスライドさせて、固定本体２０を被固定体１０に配すると共にフック３０の一部３０ａが被固定体１０と重なるように配する。この際に、図８に示すように、固定本体２０の嵌合段部２２を取付穴１１内に嵌めることで位置決めがなされる。
【００２９】
そして、雄螺子部材４０による締付けによって、固定本体２０とフック３０とで被固定体１０を挟み込むことで固定する。
固定本体２０の表面２０ａ側の六角袋ナット４１を締め方向に回すか、フック３０の裏面側のなべ小ねじの頭４２を緩み方向に回すことによってフック３０が締付け方向へ移動する。これによって、被固定体１０が固定本体２０とフック３０とによって挟圧されて固定される。
これによれば、被固定体１０の表面１０ａ側からの作業のみで、取付固定器具の取付作業を容易に行うことができる。
【００３０】
次に、図１０〜１２に基づいて、バキュームブレーカ６０を例にして、以上に説明した取付固定器具の固定本体２０とフック３０とで被固定体１０を挟み込むことで固定する具体的な使用形態について以下に説明する。
図１１に示すように、本形態例の固定本体２０とフック３０は円形に設けられ、嵌合段部２２の外径とフック３０の外径は同径に形成されている。そして、フック３０の円が、固定本体２０に対して偏心した状態に配されており、その偏心によって嵌合段部２２の円からはみ出した部分である張り出し部が、被固定体１０と重なってその裏面に当接されるフック３０の一部３０ａになっている。
【００３１】
このフック３０の一部３０ａは、一方の周縁側の部分であり、その大きさ（被固定体１０の裏面に当接する面積の大きさ）は偏心の度合いが大きくなるほど大きくなる。
そして、図１１に示すように本形態例では、雄螺子部材４０の中心に最も近いフック３０の周縁のポイントに接する接線Ｘａと平行で、雄螺子部材４０の中心を通る中心線Ｘｂを基準にして、雄螺子部材４０を中心にした１８０度以上の範囲に、被固定体１０の裏面に当接するフック３０の一部３０ａが及んでいる。これによれば、雄螺子部材４０を中心にして真反対の両側で且つ対称の形態で被固定体１０の裏面に当接するように、フック３０の一部３０ａが形成されたことになる。このように、雄螺子部材４０の回りの広い範囲でフック３０の一部３０ａが被固定体１０の裏面にバランスよく当接されるため、より安定的で且つより強固に固定することができる。
【００３２】
また、図１２に示すように、フック３０には給水用の配管６１、６２の挿入される挿通孔３３が、バキュームブレーカ６０用であるために、二個設けられている。この二個の挿通孔３３は、フック３０が偏心されて配されているため、そのフック３０内に適切に貫通されて配されている。すなわち、このフック３０については、大きな二個の挿通孔３３を設けるにもかかわらず、周縁に切り欠き部が生ずることなく、円形の厚肉の原形を留めて剛性を維持できる形態とすることができる。
【００３３】
これによれば、図１２に示すように、配管６２が固定本体２０の嵌合段部２２における周縁の際に配されても、フック３０が偏心されて配されているため、その配管６２が内嵌状態に挿通される挿通孔３３をフック３０内に適切に設けることができる。
従って、フック３０の剛性が維持されることでフック３０が変形することを防止でき、案内ピン５０によって適切に案内され、フック３０を締付け方向へ適切に移動させて強固に固定させることができる。
【００３４】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３５】
１０  被固定体
１０ａ  表面
１０ｂ  裏面
１１  取付穴
２０  固定本体
２０ａ  表面
２０ｂ  裏面
２１  表側固定部
２２  嵌合段部
２３  貫通孔
３０  フック
３０ａ  一部
３１  雌螺子部
３２  案内孔
３３  挿通孔
４０  雄螺子部材
４１  六角袋ナット
４２  なべ小ねじの頭
５０  案内ピン
６０  バキュームブレーカ
【図１】
2013145013.tif 000003
【図２】
2013145013.tif 000004
【図３】
2013145013.tif 000005
【図４】
2013145013.tif 000006
【図５】
2013145013.tif 000007
【図６】
2013145013.tif 000008
【図７】
2013145013.tif 000009
【図８】
2013145013.tif 000010
【図９】
2013145013.tif 000011
【図１０】
2013145013.tif 000012
【図１１】
2013145013.tif 000013
【図１２】
2013145013.tif 000014
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
被固定体に設けられた取付穴を覆うように該被固定体の表面側に当接して固定される固定本体と、
該固定本体の中心軸芯と偏心した位置に中心軸芯が配されると共に、該偏心した位置の中心軸芯を前記取付穴の中心軸芯に同心となるように合わせて傾けることなく該取付穴を貫通できる大きさに設けられ、該取付穴を貫通した状態で前記固定本体の中心軸芯と前記取付穴の中心軸芯とが同心となるようにスライドされることで一部が前記被固定体の裏面側に重なるように配され、該裏面側に当接して固定されるフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンとを具備することを特徴とする取付固定器具。
【請求項２】
前記雄螺子部材が、前記フックに螺合すると共に前記固定本体に係合していることを特徴とする請求項１記載の取付固定器具。
【請求項３】
前記固定本体の表面側に前記取付穴より大径に形成されて固定される表側固定部が設けられ、前記固定本体の裏面側に前記取付穴の内側に嵌まる嵌合段部が設けられていることを特徴とする請求項１又は２記載の取付固定器具。
【請求項４】
前記固定本体が配管口や配線口を固定するためのベース部として設けられ、前記フックには配管や配線が挿通される挿通孔が設けられていることを特徴とする請求項１〜３のいずれかに記載の取付固定器具。
【請求項５】
請求項１〜４のいずれかに記載の取付固定器具を用いて該取付固定器具を被固定体に固定する取付固定方法であって、
前記フックを、前記被固定体の取付穴と中心軸芯同士が同心となるようにして傾けることなく該取付穴に貫通させ、
前記固定本体と前記取付穴との中心軸芯同士が同心となるように、前記取付固定器具をスライドさせて前記固定本体を前記被固定体に配すると共に前記フックの一部が前記被固定体と重なるように配し、
前記雄螺子部材による締付によって前記固定本体と前記フックとで前記被固定体を挟み込むことで固定することを特徴とする取付固定方法。
【手続補正２】
【補正対象書類名】明細書
【補正対象項目名】０００６
【補正方法】変更
【補正の内容】
【０００６】
本発明は上記目的を達成するために次の構成を備える。
本発明にかかる取付固定器具の一形態によれば、被固定体に設けられた取付穴を覆うように該被固定体の表面側に当接して固定される固定本体と、該固定本体の中心軸芯と偏心した位置に中心軸芯が配されると共に、該偏心した位置の中心軸芯を前記取付穴の中心軸芯に同心となるように合わせて傾けることなく該取付穴を貫通できる大きさに設けられ、該取付穴を貫通した状態で前記固定本体の中心軸芯と前記取付穴の中心軸芯とが同心となるようにスライドされることで一部が前記被固定体の裏面側に重なるように配され、該裏面側に当接して固定されるフックと、該フックと前記固定本体とが、螺子の締付力によって前記被固定体を挟み込むことで該被固定体に固定されるように、該フックと前記固定本体とに連係されている雄螺子部材と、前記固定本体の裏面から前記雄螺子部材と平行に延設されていると共に、前記フックに設けられた案内孔に挿通されて該フックの前記雄螺子部材による締付方向への移動を案内する案内ピンとを具備する。
【手続補正３】
【補正対象書類名】明細書
【補正対象項目名】００１０
【補正方法】変更
【補正の内容】
【００１０】
また、本発明にかかる取付固定方法の一形態によれば、前記取付固定器具を用いて該取付固定器具を被固定体に固定する取付固定方法であって、前記フックを、前記被固定体の取付穴と中心軸芯同士が同心となるようにして傾けることなく該取付穴に貫通させ、前記固定本体と前記取付穴との中心軸芯同士が同心となるように、前記取付固定器具をスライドさせて前記固定本体を前記被固定体に配すると共に前記フックの一部が前記被固定体と重なるように配し、前記雄螺子部材による締付によって前記固定本体と前記フックとで前記被固定体を挟み込むことで固定することを特徴とすることができる。